(57)【特許請求の範囲】
【請求項１】
ａ．ＬＥＤ発光を放射するための複数のＬＥＤと、
ｂ．上流出口窓面及び下流出口窓面を持つ透過性出口窓と、
ｃ．各々が上流透過窓面及び下流透過窓面を持つ、前記複数のＬＥＤの下流及び前記透過性出口窓の上流に配されるｎ個（ｎは１以上）の透過窓と、
ｄ．前記複数のＬＥＤの下流及び前記透過性出口窓の上流に配され、前記複数のＬＥＤから空間的に離れているｋ個（ｋは２以上）の発光物質層とを有する照明装置であって、
前記複数のＬＥＤ及び前記発光物質層が主色の光を生成し、前記透過性出口窓が光の少なくとも一部を透過し、前記発光物質層が前記透過性出口窓の方向に光の少なくとも一部を透過可能に配され、第１の透過窓から下流で、前記透過性出口窓から上流に最終的キャビティを持つ、照明装置。
【請求項２】
第１の透過窓を有する請求項１に記載の照明装置であって、前記上流透過窓面が第１の発光物質上流被覆層を有し、前記下流透過窓面が第１の発光物質下流被覆層を有する、照明装置。
【請求項３】
第２の透過窓を有する請求項２に記載の照明装置であって、前記上流透過窓面が第２の発光物質上流被覆層を有し、前記下流透過窓面が第２の発光物質下流被覆層を有する、照明装置。
【請求項４】
前記透過性出口窓の前記上流出口窓面が、発光物質上流出口窓被覆層を有する、請求項１乃至３の何れか一項に記載の照明装置。
【請求項５】
前記発光物質上流出口窓被覆層は赤い光を放射する発光物質を有する、請求項４に記載の照明装置。
【請求項６】
ｋが２から５の間の範囲内にあり、ｎが１から２の範囲内にある、請求項１乃至５の何れか一項に記載の照明装置。
【請求項７】
少なくとも２つの発光物質層が実質的に同一の発光物質成分を有する、請求項１乃至６の何れか一項に記載の照明装置。
【請求項８】
少なくとも２つの発光物質層が実質的に異なる発光物質成分を有する、請求項１乃至６の何れか一項に記載の照明装置。
【請求項９】
第１の発光物質層が第１の色の光を生成し、第２の発光物質層が第２の色の光を生成し、第１の色の光は第２の色の光より大きな主発光波長を持ち、第１の発光物質層が第２の発光物質層の上流に配される、請求項１乃至８の何れか一項に記載の照明装置。
【請求項１０】
第１の発光物質層が、赤い光を放射する発光物質を有する、請求項９に記載の照明装置。
【請求項１１】
センサ、特に光センサを更に有する、請求項１乃至１０の何れか一項に記載の照明装置であって、前記センサが実質的に間接光だけを受ける、照明装置。
【請求項１２】
反射モードで発光を生成する発光物質層を更に有する、請求項１乃至１１の何れか一項に記載の照明装置。
【請求項１３】
前記発光物質層の１つ以上が、パターン化された被覆層を有する、請求項１乃至１２の何れか一項に記載の照明装置。
【請求項１４】
前記透過性出口窓及び１つ以上のｎ個の透過窓からなるグループから選択される１つ以上の窓が、透過性発光出口窓及び透過発光窓として１つ以上の発光物質層を独立して有する、請求項１乃至１３の何れか一項に記載の照明装置。
【請求項１５】
１つ以上のダイクロイックフィルタを更に有し、前記ＬＥＤの下流及び前記透過性出口窓の上流に配され、前記１つ以上のダイクロイックフィルタの上流の光の少なくとも一部を透過し、前記１つ以上のダイクロイックフィルタの下流の光の少なくとも一部を反射する、請求項１乃至１４の何れか一項に記載の照明装置。
【発明の詳細な説明】
【技術分野】
【０００１】
本発明は、１つ以上の透過窓を備える照明装置に関係する。
【背景技術】
【０００２】
透過セラミック層を有する照明装置は、従来から知られている。透過セラミック層又は発光セラミック、及びこれらの準備の方法は、従来から知られている。例えば、米国特許出願ＵＳ２００５／０２６９５８２を参照されたい。例えば、米国特許出願ＵＳ２００５／０２６９５８２は、光放射層により放射された光の経路に置かれるセラミック層と結合される半導体発光装置を開示する。セラミック層は、発光物質のような波長変換物質からなるか、又は波長変換物質を有する。
【０００３】
透過カバー及び発光物質を備える照明装置は、例えば米国特許出願ＵＳ２００７／０１１４５６２に開示されている。この文献は、例えば、半導体光エミッタを含む黄色、赤照明システム及び発光物質を説明する。システムの発光は、ＣＩＥ色図上の特定の色座標を持つそれぞれのＩＴＥ赤及び黄色の色分類内に入る。発光物質は、１つ以上の発光物質を含む。発光システムは、自動車ディスプレイ又は信号機の赤及び黄色の光として使用される。
【０００４】
米国特許出願ＵＳ２００７／０１１４５６２は、更に、半導体光エミッタが置かれるサポートと、当該サポート上に置かれ、半導体光エミッタ上を延在するカバーと、ここで、カバー及びサポートは協働して半導体光エミッタを含む室内ボリュームを規定し、室内ボリューム内に置かれ半導体光エミッタを封入する封入剤とを有するＬＥＤ照明システムを開示する。発光物質は、カバーの内面に付着される。
【発明の概要】
【発明が解決しようとする課題】
【０００５】
従来のシステムの不利益は、システムから放射される前に光が複数回リサイクルされないモジュールなので、特に暖かい白色光の生成に対して、ユニット領域当たりの相対的に高めの発光物質、結果として非常に厚い発光物質層が要求されることである。マトリクス材料内の発光物質の希釈は、良好な流れ特性を可能にするのに充分であるべきであり、結果的に発光物質粒子を有する結合剤の相対的に非常に厚い層となり、これは、被覆プロセスを妨害し、結果的にフィルム及び被覆の異なる物質特性のために応力勾配となる。これは、容易にフィルム亀裂、丸くなりやすく、層間剥離にさえなる。
【０００６】
更に、発光物質成分の特性、例えば、粒子サイズ分布又は量子効率が時間と共に変化する。これは、発光物質比率の適合、及び／又はフィルム上の効果的な発光物質装填により補償されるべきであり、好ましくは最終被覆フィルム光学特性が、測定され特定の制限内にあるべきである。発光物質被覆懸濁剤のこの適合は、事前の混合物質が概して使用できないので、物質の大きな浪費を導く。同時進行で、ローリングプロセスでのフィルム特性の閉じたループ制御は、単一の混合では非常に難しい。
【０００７】
従来技術の他の問題点は、発光物質の混合が、照明のため関心がある大部分の発光物質に対する重大な発光物質相互作用を導くことである。１つの発光物質（又は発光物質混合物）から放射される黄色−緑の光は、しばしば、赤−オレンジ放射発光物質（又は発光物質混合物）により部分的に吸収され、結果的に、低めの全体的なシステム効率（赤−オレンジ発光物質での追加の量的効率損失のため）及び黄色−緑の光のスペクトル形状の変化による低減されたカラーレンダリングとなってしまう。後者は、赤−オレンジ発光物質のスペクトル吸収により生じる。典型的には、これは、結果的に例えば８５から７５へのＣＲＩの落ち込みになり、このことは、大部分のアプリケーションで光を汎用照明タスクのためには不適切にさせてしまう。更に、発光物質の相互作用は、より多くの発光物質を必要とし、システムをより高価にさせてしまう。
【０００８】
従来のシステムの他の不具合は、システムがオフ状態にあるとき、出口窓として、すなわち、観察者に見える物質として発光物質層を適用することは、出口窓の色、特に黄色−オレンジ色を見せてしまうことになることである。これは、発光物質が直接視認できるとき、例えばこの窓が光放射窓であるときの場合である。斯様なランプ（又は照明器具）の色付いた外観は、しばしば望ましくなく、中立の外観が一般に好ましい。
【０００９】
よって、本発明の態様は、上述の不具合を１つ以上取り除く、代わりの照明装置を提供することである。
【課題を解決するための手段】
【００１０】
第１の態様では、本発明は、
ａ．ＬＥＤ発光を放射するためのＬＥＤと、
ｂ．上流出口窓面及び下流出口窓面を持つ透過性出口窓と、
ｃ．各々が上流透過窓面及び下流透過窓面を持つ、前記ＬＥＤの下流及び前記透過性出口窓の上流に配されるｎ個（ｎは１以上）の透過窓と、
ｄ．発光物質層がオプション的に空間的に離れて、前記ＬＥＤの下流及び前記透過性出口窓の上流に配され、前記ＬＥＤから空間的に離れているｋ個（ｋは１以上、特に２以上）の発光物質層とを有する照明装置であって、
前記ＬＥＤ及び前記発光物質層が主色の光を生成し、前記透過性出口窓が光の少なくとも一部を透過する照明装置を提供する。
【００１１】
斯様な装置は、好適には薄めの発光物質層を持ち、これにより発光相互作用が減少する。更に、好ましくは約１００μｍの厚さを持つ薄めの層の使用は、上述のプロセス利点を持つ。例えば、約５−１００μｍの範囲内の厚さを持つ層が適用され、例えば厚さは発光物質層の数及び発光物質のタイプに依存する。更に、本発明による照明装置は、発光物質の種々異なるタイプの分離を可能にする。このようにして、種々異なるタイプの発光物質の発光特性に関係して照明装置の照明特性が最適化される。加えて、本発明による照明装置は、特に、オフ状態にあるとき、及び白色光で（外部から）照射されるとき、白く見える。発光物質がＬＥＤで供給されるシステムに関係して特に他の利点は、本質的に効率的なシステム（少ない背面反射／再吸収）が提供されることであり、暖かい白のオプション（実質的に熱的消失がなく、発光物質の相対的に「低い」（熱）放射）が提供されることである。更に、本発明による照明装置は、相対的に単純なコンセプト（青のＬＥＤに基づくだけであり、これは相対的に容易な組み立て及び駆動という利点を持つ）であり、更に、調整可能な色温度のオプションが実行可能である。
【００１２】
語句「ＬＥＤの下流及び透過性出口窓の上流に配されるｎ個の透過窓」は、これら透過窓の各々が、（変換された）ＬＥＤ光の少なくとも一部を受けて、透過性出口窓の方向にこの（変換された）ＬＥＤ光の少なくとも一部を送ることを示す。１つ以上の斯様な透過窓は、照明装置に含まれてもよい。
【００１３】
語句「ｋ個の発光物質層」は、（変換された）ＬＥＤ光の少なくとも一部を受けるが、また、この（変換された）ＬＥＤ光の少なくとも一部を透過する発光物質層を指す。よって、多くの実施例では、透過窓は、１つ以上の発光物質層を有する。語句「発光物質層が（オプション的に）空間的に離隔されている」は、それぞれの発光物質層が（オプション的に）互いから空間的に離隔されていることを示す。本発明は被覆層だけに限定されないが、用語「発光物質層」は、ここでは、「被覆」又は「被覆層」としてときどき示されている。
【００１４】
ｋ個の発光物質層は、ＬＥＤから（また）空間的に離隔されている（すなわち、離れている）。これは、「ｋ個の発光物質層」としてここで示される発光物質層が、ＬＥＤ上に被覆されていない（又はダイ上に被覆されていない）ことを意味する。特に、本発明による装置は、ＬＥＤ上に発光物質被覆を有さず、及び／又は好ましくは発光物質を有するＬＥＤドームも有さない。他の実施例では、１つ以上のＬＥＤが、青い光以外の光を放射する。しかしながら、実施例では、斯様なＬＥＤは、ＬＥＤ上に被覆される発光物質、及び／又はＬＥＤドームに含まれる発光物質を有する。斯様なアプリケーションは、例えば、色域を更に拡大する、及び／又は照明装置からの光のＣＲＩを改善するために使用される。しかしながら、本発明による照明装置は、ＬＥＤから空間的に離隔された発光層を少なくとも有する。ここで、用語「ＬＥＤ」は、１つ以上のＬＥＤを指す。
【００１５】
語句「発光物質層は、ＬＥＤの下流及び透過性出口窓の上流に配される」は、発光物質層、よって当該層に含まれる発光物質が、ＬＥＤから離隔されているが（上記参照）、透過性出口窓から上流にあることを示す。語句「透過性出口窓から上流」は、この窓の内部に発光物質層を含む（以下を参照）ことを含む。１つ以上のｋ個の発光物質層は、ｎ個の透過窓の上流透過窓面及び／若しくは下流透過窓面に特に配されるか、又はｎ個の透過窓内に組み立てられてもよい（又は１つ以上の斯様な実施例の組み合わせ）。斯様な構成は、ここでは、語句「透過窓は発光物質層を有する」又は「透過窓は、発光物質上流（又は下流）被覆層を有する」及び類似の語句によっても示される。
【００１６】
ＬＥＤベースの光源の離れた発光物質は、システム効率に関して、特に低色温度（暖かな白）を持つ光の生成に対して非常に有益であるようにみえる。吸収される機会がむしろ高くて、小さな量の光だけがＬＥＤに反射して戻るので、透過サポート又はフィルム上に発光物質被覆を付与することは、結果的に高いシステム効率となる。ＬＥＤから離れて発光物質を使用することは、結果的に、ＬＥＤパッケージ内に発光物質を持つシステムと比較して約５０％までの効率利得となる。
【００１７】
上述のように、発光物質層を出口窓の表面、特に放射面（すなわち、下流面）に付与することは、結果的に、ランプがオフであるとき及び白い光で照明されるとき、その面のむしろ飽和した色ポイントとなる。本発明によると、出口窓の見える色の飽和の程度は、ＬＥＤと照明装置の拡散透過性物質出口窓との間に位置される透過キャリア上に発光物質被覆を付与することにより、低減できる。透過性出口窓は、（光が例えばビーム形成のため更に処理される他の光学システムのための）仮の放射窓として働く。発光物質層と透過性出口窓との間の距離が増大すると、透過性出口窓の色の飽和が、更に低減される。上述に挙げられた及びこれ以降挙げられる対策は、とりわけ、システムに追加の散乱又は反射を付与することに基づく。しかしながら、驚くべきことに、一般には、システム内に、より多くの散乱及びより多くの（部分的な）反射の追加はシステム効率の非常に重大な低減を生じてしまうが、当該システム効率は、ほとんど維持される。
【００１８】
照明装置
照明装置は、ここでは、「装置」としても示される。ＬＥＤに対して、１つ以上の透過窓がＬＥＤの下流に配される。透過窓は、ＬＥＤにより生成された実質的に全ての放射が透過窓へ向くように好ましくは配され、すなわち、透過窓はＬＥＤにより放射される光の経路内に置かれる。よって、好ましい実施例では、発光物質及び／又は透過窓は、実質的に全てのＬＥＤ放射を受ける。
【００１９】
透過性出口窓は、透過窓から下流に配される。よって、透過窓は、ＬＥＤへ向けられる上流出口窓面と透過性出口窓へ向けられる下流出口窓面とを持ち、透過性出口窓は、透過窓の下流面へ向けられる上流出口窓面と、照明装置の外部へ向けられる下流出口窓面とを持つ。
【００２０】
上述のように、この出口窓は、光が照明装置から出るように配される。しかしながら、コリメータ、反射器、光ガイド、オプティカル層等のような他の光学系が、照明装置からの光をガイドする又は影響を与えるために排除はされず、当該他の光学系は出口窓の下流に配されてもよい。
【００２１】
本発明では、非常に高い効率及び良好な色レンダリングを持ち、白の外観も持つか又はオフ状態でほとんど自然な色中立である遠隔発光物質モジュール及びランプが実現できる。フィルムのような、透過窓内又は透過窓上に発光物質を持つ提案されたシステムは、ローリングプロセスにより安い量産を可能にし、均質化を効率の最適化と組み合わせる。
【００２２】
上述のように、本発明による照明装置は、好ましくは２つ以上の発光物質層を有する。１つ以上の透過窓があり、１つ以上の、特に２つ以上の発光物質層があり、発光物質層は種々異なるタイプの発光物質を有するので、本発明は、非常に多くの構成（又は実施例）を可能にする。
【００２３】
実施例では、照明装置は、第１の透過窓を有し、第１の透過窓の上流透過窓面は第１の発光物質上流被覆層を有し、第１の透過窓の下流透過窓面は第１の発光物質下流被覆層を有する。
【００２４】
他の実施例では、照明装置は、更に第２の透過窓を有し、第２の透過窓の上流透過窓面は第２の発光物質上流被覆層を有し、第２の透過窓の下流透過窓面は第２の発光物質下流被覆層を有する。
【００２５】
当業者には明らかであるように、他の変形例は、照明装置が第１の透過窓を有し、第１の透過窓の上流透過窓面が第１の発光物質上流被覆層を有し、及び／又は第１の透過窓の下流透過窓面が第１の発光物質下流被覆層を有する実施例を含み、及び／又は照明装置が更に第２の透過窓を有し、第２の透過窓の上流透過窓面が第２の発光物質上流被覆層を有し、及び／又は第２の透過窓の下流透過窓面が第２の発光物質下流被覆層を有する実施例を含んでもよい。
【００２６】
他の実施例では、透過性出口窓の上流出口窓面は、発光物質上流出口窓被覆層を有する。特定の実施例では、発光物質上流出口窓被覆層は、赤の光を放射するために配される発光物質を有する。
【００２７】
良好な結果が、ｋが２−５の範囲内であって、ｎが１−２の範囲内にある照明装置で得られる。例えば、実施例では、装置は、各々が発光物質上流被覆層を持ち、各々が発光物質下流被覆層（ｎ＝２、ｋ＝４）と、オプション的に発光物質上流出口窓被覆層（ｎ＝２及びｋ＝５をなす）とを持つ２つの透過窓を有する。
【００２８】
実施例では、少なくとも２つの発光物質層が、実質的に同一の発光物質成分を有する。更に他の実施例では、少なくとも２つの発光物質層が、実質的に異なる発光物質成分を有する。用語「発光物質成分」は、１つ以上の種々異なる発光物質を有する成分を指す。この文脈では、用語「種々異なる」及び「同一の」は、等しい励起条件の下で生成される光の色に特に関係する。実質的に同一の発光物質被覆成分を有する２つの発光物質層の例は、Ｙ３Ａｌ５Ｏ１２：Ｃｅ（ＹＡＧ：Ｃｅ）を有する被覆であり、両方の発光物質において、セリウムが実質的に同じモル量で存在する。
【００２９】
実施例では、第１の発光物質層は第１の色の光を生成するために配され、第２の発光物質層は第２の色の光を生成するために配され、第１の色の光は第２の色の光より大きな主放射波長を持ち、第１の発光物質層は第２の発光物質層の上流に配される。例えば、赤の放射発光物質が透過窓の発光物質上流被覆層に含まれ、緑又は黄色の放射発光物質が同じ透過窓の発光物質下流被覆層に含まれる。斯様な構成の利点は、緑及び／又は黄色の発光が、それぞれ赤の放射発光物質により実質的に吸収されないことである。逆の視点からこの構成を見たならば、赤の発光物質は、緑及び／又は黄色の発光の一部を、それぞれ吸収するかもしれない。よって、実施例では、第１の発光物質層は、赤の光を放射するために配される発光物質を有する。
【００３０】
特定の実施例では、１つ以上の発光物質層は、パターン化された被覆層を有する。よって、実施例では、１つ以上の発光物質層は、実質的に連続的な層であり、より特には、全ての発光物質層は、実質的に連続的な層であり、他の実施例では、１つ以上の発光物質層は、パターン化された被覆層を有する。１つ以上のパターン化された層を使用する利点は、発光物質相互作用が減少し、これにより、起こり得る（再吸収）損失を低減する。
【００３１】
特定の実施例では、透過性出口窓及び１つ以上のｎ個の透過窓からなるグループから選択された１つ以上の窓は、透過性発光出口窓及び透過発光窓として、それぞれ１つ以上の発光物質層を独立して有する。例えば、発光物質の一部は、１つ以上の透過窓及び／又は透過性出口窓へ一体化されてもよい。実施例では、斯様な窓は、発光セラミックである。他の実施例では、発光物質層は、１つ以上の斯様な窓に分散されている。
【００３２】
よって、実施例では、発光物質層は被覆層であり、他の実施例では、窓に一体化されている。後者は（透過性）発光（出口）窓として示され、よって、発光物質層を有するが、斯様な窓は窓特性（少なくとも部分的に光に対して透過性である）だけでなく発光特性も持つので、（透過性）発光（出口）窓が発光物質層として見えてもよい。
【００３３】
それにもかかわらず、斯様な発光窓は、発光物質被覆（上流面及び／又は下流面で）を有してもよい。
【００３４】
更に、本発明の実施例による照明装置は、また、１つ以上のダイクロイックフィルタを有する。斯様なフィルタは、ＬＥＤの下流及び透過性出口窓の上流に特に配され、１つ以上のダイクロイックフィルタの上流の光の少なくとも一部を透過し、１つ以上のダイクロイックフィルタの下流の光の少なくとも一部を反射するために更に配される。
【００３５】
原則的に少なくとも部分的に透過である、ここで説明されるｋ個の発光物質に加えて、実施例では、照明装置は、更に、反射モードで発光を生成するために配される発光物質層を有する。斯様な発光物質層は、非透過発光物質層として示され、例えば装置の壁及び／又は（基板のような）底部に配される。よって、他に示されない限り、実施例では、発光物質層は、透過性出口窓の方向に光の少なくとも一部を伝達可能にし、又はより特には、透過性出口窓の下流に照明装置の外部へ伝達可能に特に配される。しかしながら、反射モードで発光を生成するために配された発光物質層は、ＬＥＤ室壁又は（ＬＥＤ基板のような）ＬＥＤサポートのような非透過部分に特に配される。
【００３６】
本発明の実施例による装置は、種々異なるタイプの形状を持ち、又はより正確には、出口窓及び透過窓は、種々異なるタイプの形状を持つ。実施例では、透過性出口窓及び１つ以上のｎ個の透過窓からなるグループから選択された１つ以上の窓は、実質的にフラットな形状を独立して持つ。他の実施例では、透過性出口窓及び１つ以上のｎ個の透過窓からなるグループから選択された１つ以上の窓は、透過性発光出口窓及び透過発光窓として、実質的に凸状の形状を独立して持つ。当業者には明らかなように、フラット及び凸の窓の組み合わせが、適用されてもよい。
【００３７】
特定の実施例では、装置は、更にセンサ、光学センサを有し、当該センサは実質的に間接光だけを受けるように配される。よって、斯様なセンサは、直接放射を受けないはずなので、このようにして、熱負荷が大幅に防げる。更に、光学センサを適用するとき、利点は、光学センサが実質的に混合光を感知するのに対し、直接光を受けるセンサは混合が少ない光（例えば、ＬＥＤ光が、１つ以上の発光物質層の透過後、部分的にだけランバート的であるという事実のため）を受けるということである。
【００３８】
本発明の照明装置は、白色光のような既定の色の光を生成するために、特に配される。
【００３９】
提案された構成は、大きな領域照明、周辺照明（例えば、照明タイル）、バックライト（例えば、ポスターボックス）、ダウンライト、白熱（ＧＬＳ）又はＴＬ置換可能ランプのような普及型レトロフィットランプ、壁洗い照明、並びにボリューム及びビーム集中に依存した、幾つかのスポットランプに適用できる。
【００４０】
以下に、ＬＥＤ及び発光物質、透過窓並びに透過性出口窓、それぞれに関する幾つかの更なる詳細が与えられる。
【００４１】
ＬＥＤ及び発光物質
実施例では、ＬＥＤは青の発光を放射するように配され、発光物質は、（ａ）青のＬＥＤ発光の少なくとも一部を吸収し、緑の発光を放射するように配される緑の発光物質と、（ｂ）青のＬＥＤ発光の少なくとも一部、緑の発光の少なくとも一部、又は青の発光の少なくとも一部及び緑の発光の少なくとも一部を吸収し、赤の発光を放射するように配される赤の発光物質とを有する。このようにして、既定の色の光が白色光になる。とりわけＬＥＤパワー、青のＬＥＤ発光スペクトラム、及び発光物質量に依存して、種々異なる色温度の白色光が構成される。
【００４２】
他の実施例では、ＬＥＤは青の発光を放射するように配され、発光物質は、（ａ）青の発光の少なくとも一部を吸収し、黄色の発光を放射するように配される黄色の発光物質と、オプション的に（ｂ）青のＬＥＤ発光の少なくとも一部、黄色の発光の少なくとも一部、又は青の発光の少なくとも一部及び黄色の発光の少なくとも一部を吸収し、黄色の発光波長とは異なる発光波長の発光を放射するように配される１つ以上の他の発光物質とを有する。このようにしても、既定の色の光が白色光になる。とりわけ青のＬＥＤ発光スペクトラム、ＬＥＤパワー及び発光物質量に依存して、種々異なる色温度の白色光が構成される。特定の実施例では、黄色の発光物質（ａ）に加えて、発光物質は、更に、（ｂ）青のＬＥＤ発光の少なくとも一部、黄色の発光の少なくとも一部、又は青の発光の少なくとも一部及び黄色の発光の少なくとも一部を吸収し、赤の発光を放射するように配される赤の発光物質とを有する。この赤の発光物質は、とりわけ、ＣＲＩを更に改善するために付与される。
【００４３】
実施例では、照明装置は、ＬＥＤ発光を放射するように配される２−１００個のオーダーのような、例えば４−６４個の複数のＬＥＤを有する。
【００４４】
ここで使用される用語「白色光」は、当業者には知られている。白色光は、約２０００Ｋと２００００Ｋとの間、特に２７００Ｋと２００００Ｋとの間の相関色温度（ＣＣＴ）を持つ光に特に関係する。一般照明に対して、ＣＣＴは、特に約２７００Ｋから６５００Ｋの範囲内にあり、バックライト目的に対して、特に約７０００Ｋから２００００Ｋの範囲内、特にＢＢＬから約１５ＳＤＣＭ（ＳＤＣＭ：色マッチングの標準偏差）内、更により特にＢＢＬから約５ＳＤＣＭ内にある。用語「既定の色」は、色トライアングル内の何れの色にも関係してもよいが、特に白色光を指す。
【００４５】
用語「青い光」又は「青い放射光」は、特に、約４１０−４９０ｎｍの範囲内の波長を持つ光に関係する。用語「緑の光」は、特に、約５００−５７０ｎｍの範囲内の波長を持つ光に関係する。用語「赤の光」は、特に、約５９０−６５０ｎｍの範囲内の波長を持つ光に関係する。用語「黄色の光」は、特に、約５６０−５９０ｎｍの範囲内の波長を持つ光に関係する。
【００４６】
これらの用語は、発光物質が、例えば約５００−５７０ｎｍ、約５９０−６５０ｎｍ、及び約５６０−５９０ｎｍそれぞれの範囲外の発光波長を持つ広帯域発光を持つことを特に除外するわけではない。しかしながら、斯様な発光物質の（又はＬＥＤの）発光の主波長は、ここで与えられる範囲内で見つかるだろう。よって、語句「範囲内の波長」は、特に、発光が特定の範囲内の主発光波長を持つことを示す。
【００４７】
特に好ましい発光物質は、特に三価セリウム又は二価ユーロピウムでドープされたガーネット及び窒化物、それぞれから選択される。ガーネットの実施例は、特に、Ａ３Ｂ５Ｏ１２ガーネットを含み、ここで、Ａは少なくともイットリウム又はルテチウムを有し、Ｂは少なくともアルミニウムを有する。斯様なガーネットは、セリウム（Ｃｅ）、プラセオジム（Ｐｒ）、又はセリウム及びプラセオジムの組み合わせでドープされ、特にＣｅでドープされる。特に、Ｂはアルミニウム（Ａｌ）を有するが、Ｂはまたガリウム（Ｇａ）及び／又はスカンジウム（Ｓｃ）及び／又はインジウム（Ｉｎ）を部分的に、特にＡｌの約２０％まで、より特に約１０％まで有してもよい（すなわち、ＢイオンはＡｌの９０以上のモル％とＧａ、Ｓｃ及びＩｎの１つ以上の１０以下のモル％とから本質的に成る）。Ｂは、特に、約１０％までのガリウムを有してもよい。他の変形例では、Ｂ及びＯは少なくとも部分的にＳｉ及びＮにより置き換えられてもよい。要素Ａは、特に、イットリウム（Ｙ）、ガドリニウム（Ｇｄ）、テルビウム（Ｔｂ）及びルテチウム（Ｌｕ）から成るグループから選択されてもよい。更に、Ｇｄ及び／又はＴｂは、特に、Ａの約２０％の量まで存在するだけである。特定の実施例では、ガーネット発光物質は、（Ｙ１−ｘＬｕｘ）３Ｂ５Ｏ１２：Ｃｅを有し、ｘは０以上であり１以下である。
【００４８】
用語「Ｃｅ」は、発光物質内の金属部分の一部（すなわち、ガーネットにおいて：「Ａ」イオンの一部）がＣｅにより置き換えられることを示す。例えば、（Ｙ１−ｘＬｕｘ）３Ａｌ５Ｏ１２：Ｃｅの場合、Ｙ及び／又はＬｕの一部がＣｅにより置き換えられる。これは、当業者に知られている。Ｃｅは、一般に最大１０％Ａを置換し、一般にＣｅ濃度は、０．１−４％、特に０．１−２％（Ａに対して）の範囲内にあるだろう。１％Ｃｅ及び１０％Ｙとすると、フルの正しい式は、（Ｙ０．１Ｌｕ０．８９Ｃｅ０．０１）３Ａｌ５Ｏ１２となるであろう。ガーネット内のＣｅは、当業者に知られているように、ほとんど三価であるか又は三価だけである。
【００４９】
赤の発光物質は、実施例では、（Ｂａ、Ｓｒ、Ｃａ）Ｓ：Ｅｕ、（Ｂａ、Ｓｒ、Ｃａ）ＡｌＳｉＮ３：Ｅｕ及び（Ｂａ、Ｓｒ、Ｃａ）２Ｓｉ５Ｎ８：Ｅｕから成るグループから選択される１つ以上の物質を有する。これらの化合物では、ユーロピウム（Ｅｕ）がほとんど二価であるか又は二価のみであり、１つ以上の示される二価の陽イオンを置き換える。一般に、Ｅｕは陽イオンの１０％より大きな量で存在せず、特に陽イオンに対して約０．５％−１０％の範囲であり、更に特に、陽イオンに対して０．５％−５％の範囲で、置き換える。用語「：Ｅｕ」は、金属イオンの一部がＥｕにより（これらの例ではＥｕ２＋により）置き換えられることを示す。例えば、ＣａＡｌＳｉＮ３：Ｅｕに２％のＥｕを仮定すると、正しい式は、（Ｃａ０．９８Ｅｕ０．０２）ＡｌＳｉＮ３となる。二価のユーロピウムは、一般に、上述の二価のアルカリ土類陽イオン、特にＣａ、Ｓｒ、又はＢａのような二価の陽イオンに置き換わる。
【００５０】
物質（Ｂａ、Ｓｒ、Ｃａ）Ｓ：Ｅｕは、ＭＳ：Ｅｕとして示されることができ、ここで、Ｍはバリウム（Ｂａ）、ストロンチウム（Ｓｒ）及びカルシウム（Ｃａ）から成るグループから選択される１つ以上の要素であり、特に、Ｍは、この化合物では、カルシウム若しくはストロンチウム、又はカルシウム及びストロンチウム、更に特にカルシウムを有する。ここで、Ｅｕが導入され、Ｍ（すなわち、Ｂａ、Ｓｒ及びＣａの１つ以上）の少なくとも一部を置き換える。
【００５１】
更に、物質（Ｂａ、Ｓｒ、Ｃａ）２Ｓｉ５Ｎ８：Ｅｕは、Ｍ２Ｓｉ５Ｎ８：Ｅｕとして示されることができ、ここで、Ｍはバリウム（Ｂａ）、ストロンチウム（Ｓｒ）及びカルシウム（Ｃａ）から成るグループから選択される１つ以上の要素であり、特に、Ｍは、この化合物では、Ｓｒ及び／又はＢａを有する。他の特定の実施例では、Ｍは、Ｂａ１．５Ｓｒ０．５Ｓｉ５Ｎ８：Ｅｕ（すなわち、７５％のＢａ、２５％のＳｒ）のような、特に５０−１００％のＳｒ及び／又はＢａ（Ｅｕの存在を考慮しないで）、特に５０−９０％のＢａ及び５０−０％、特に５０−１０％のＳｒから成る。ここで、Ｅｕが導入され、Ｍ（すなわち、Ｂａ、Ｓｒ及びＣａの１つ以上）の少なくとも一部を置き換える。
【００５２】
同様に、（Ｂａ、Ｓｒ、Ｃａ）ＡｌＳｉＮ３：Ｅｕは、ＭＡｌＳｉＮ３：Ｅｕとして示されることができ、ここで、Ｍはバリウム（Ｂａ）、ストロンチウム（Ｓｒ）及びカルシウム（Ｃａ）から成るグループから選択される１つ以上の要素であり、特に、Ｍは、この化合物では、カルシウム若しくはストロンチウム、又はカルシウム及びストロンチウム、更に特にカルシウムを有する。ここで、Ｅｕが導入され、Ｍ（すなわち、Ｂａ、Ｓｒ及びＣａの１つ以上）の少なくとも一部を置き換える。
【００５３】
ここで使用される用語「発光物質」は、特に、発光物質として時々示されてもいる無機発光物質に関係する。これらの用語は、当業者に知られている。
【００５４】
透過窓
特にＬＥＤ（すなわち、特にＬＥＤの光放射面（又はダイ））から０ではない距離で、透過窓が配されている。
【００５５】
ここで使用される用語「透過」は、１つの実施例では、透明を指し、他の実施例では半透明を指す。これらの用語は、当業者に知られている。透過は、透過窓による光の伝達、特に少なくとも青の範囲、より一般的には全可視範囲（すなわち、約３８０−６８０ｎｍ）の光の伝達が、少なくとも約２０％、更に特に少なくとも約５０％、更により特に少なくとも約８０％（光との透過窓への垂直放射の下）である。
【００５６】
透過窓は自立していてもよいが、代わりの実施例では、例えば引っ張れる（例えば装置の拡散キャビティ壁（下記参照）又はＬＥＤ室壁間で）フレキシブルフィルムでもよい。透過窓は、板のような実質的にフラットな形状を持ってもよいが、他の実施例では、例えばドームのような実質的に凸状の形状を持ってもよい。
【００５７】
透過窓は、実施例では、有機物質を有する。好ましい有機物質は、ＰＥＴ（ポリエチレン・テレフタル酸塩）、ＰＥ（ポリエチレン）、ＰＰ（ポリプロピレン）、ＰＣ（ポリカーボネート）、Ｐ（Ｍ）ＭＡ（ポリ（メチル）メタクリレート）、ＰＥＮ（ポリエチレンナフタレート）、ＰＤＭＳ（ポリ・ジメチル・シロキサン）及びＣＯＣ（チクロ・オレフィン共重合体）からなるグループから選択される。例えば、ポリカーボネートは、良好な結果を与えた。しかしながら、他の実施例では、透過窓は、無機物質を有する。好ましい無機物質は、ガラス、（溶融した）石英、セラミック及びシリコンから成るグループから選択される。
【００５８】
透過窓は、発光物質層の１つ又は２つにより片側又は両側が被覆される。よって、この場合、透過窓は、透過サポートとしても示される。上述のように、他の実施例では、透過窓は、発光物質の少なくとも一部を有する。他の実施例では、発光物質（層）を有する透過窓は、更に、発光物質の一部（実質的に異なる発光色又は実質的に類似の発光色を持つ）を有する被覆を透過窓の片側又は両側に具備する。
【００５９】
透過性出口窓
特に、透過窓の下流面から０ではない距離で、透過窓の下流に透過性出口窓が配されている。この出口窓は、照明装置からの光が照明装置から流出することを可能にするように配される。
【００６０】
実施例では、透過性出口窓は、有機物質を有する。好ましい有機物質は、ＰＥＴ（ポリエチレン・テレフタル酸塩）、ＰＥ（ポリエチレン）、ＰＰ（ポリプロピレン）、ＰＣ（ポリカーボネート）、Ｐ（Ｍ）ＭＡ（ポリ（メチル）メタクリレート）、ＰＥＮ（ポリエチレンナフタレート）、ＣＯＣ（チクロ・オレフィン共重合体）及びＰＤＭＳ（ポリ・ジメチル・シロキサン）からなるグループから選択される。しかしながら、他の実施例では、透過性出口窓は、無機物質を有する。好ましい無機物質は、ガラス、（溶融した）石英、セラミック及びシリコンから成るグループから選択される。
【００６１】
しかしながら、実施例では、出口窓は、半透明である。例えば、上述の物質は、本質的に半透明の特性を持ってもよいし、又は半透明に作られてもよい（例えば、物質をつや消し加工することにより（例えばサンドブラスト又は酸腐食することにより））。斯様な方法は、従来から知られている。透過性出口窓は、幾らかの光を通すが、半透明物質を通じて見える内部（すなわち、出口窓から上流に位置される照明装置のオブジェクト）は、かなり乱反射されているか、又は見えない。
【００６２】
上述のように、他の実施例では、出口窓は、発光物質の少なくとも一部を有する。他の実施例では、発光物質（層）を有する出口窓は、更に、発光物質の一部（実質的に異なる発光色又は実質的に類似の発光色を持つ）を有する被覆を上流側に具備する。
【００６３】
本発明の実施例が、単なる例として、添付の概略的図面を参照して説明され、対応する参照符号は対応する部品を示す。
【図面の簡単な説明】
【００６４】
【図１】図１ａ及び図１ｂは、本発明による２つの実施例を概略的に示す。
【図２】図２ａ乃至図２ｄは、幾つかの照明装置が発光物質の色分離を持つ、本発明による４つの実施例を概略的に示す。
【図３】図３ａ乃至図３ｃは、照明装置が２つの透過窓を有する本発明による３つの実施例を概略的に示す。
【図４】図４ａ乃至図４ｄは、照明装置が発光物質の色分離を持ち、照明装置が出口窓被覆層を持つ３つの実施例を概略的に示す。
【図５】図５ａ乃至図５ｄは、反射モードで発光物質層が付与される４つの実施例を概略的に示す。
【図６】図６ａ及び図６ｂは、ダイクロイックフィルタを備えた幾つかの実施例を概略的に示す。
【図７】図７ａ及び図７ｂは、パターン化された発光物質被覆層を備えた幾つかの実施例を概略的に示す。
【図８】図８は、１つ以上の透過窓及び出口窓が発光物質層を有する実施例を概略的に示す。
【発明を実施するための形態】
【００６５】
必須の要素だけが示されている。当業者に知られているドライバのような他の要素、光学フィルタのような光学系、コリメータ、取り付け部品等は、図面に示されていない。
【００６６】
図１ａは、本発明による照明装置の実施例を概略的に示す。照明装置は、参照符号１００で示される。照明装置１００は、例えば青い光であるＬＥＤ発光１１を放射するために配されたＬＥＤ１０を有する。
【００６７】
照明装置１００は、更に、上流出口窓面２０２及び下流出口窓面２０１を持つ透過性出口窓２００を有する。後者は外部に向けられていて、前者は装置１００の内部に、より特にはＬＥＤ１０に実質的に向けられている。透過性出口窓２００は、例えばつや消しされたＰＣ又はガラスである。
【００６８】
図１ａ及び図１ｂの概略的に示された実施例では、透過性出口窓２００は、実質的に凸形状を持つ。
【００６９】
ＬＥＤ１０の下流及び透過性出口窓２００の上流に、ｎ個の透過窓３００（１）、３００（２）、．．．３００（ｎ）が配され、ここで、ｎは１以上である。用語「３００（１）、３００（２）、．．．３００（ｎ）」は、照明装置１００が多数のｎ個の透過窓３００を有することを示し、ここで、窓は参照符号３００（１）、．．．３００（ｎ）でそれぞれ示され、透過窓３００（１）は第１の透過窓３００であり、透過窓３００（２）は第２の透過窓３００である等である。各透過窓３００は、上流透過窓面３０２及び下流透過窓面３０１を持つ。前者はＬＥＤ１０に実質的に向けられていて、後者は透過性出口窓２００に実質的に向けられている。このようにして、ＬＥＤ１０からの光は、透過窓３００へ「下流」方向に流れ、透過窓により少なくとも部分的に伝達され、続いて透過性出口窓２００への下流方向へ続き、透過性出口窓２００により少なくとも部分的に伝達され、これにより、照明装置からの光として光６０を供給する。照明装置６０からの斯様な光は、例えば白色光である。
【００７０】
概略的図１ａ及び図１ｂでは、ｎは１であり、すなわち、これらの照明装置１００は、第１の透過窓３００（１）としても示されるような１つの透過窓３００を有する。
【００７１】
ＬＥＤから透過窓３００（ｎ）までの最短距離は、Ｌ２で示される。ＬＥＤ１０と第１の下流透過窓３００との間の距離Ｌ２は、一般に、約１−５０ｍｍの範囲内、特に約１−２０ｍｍの範囲内にある。
【００７２】
図１ａ及び図１ｂの概略的に示される実施例では、透過窓３００（１）は、実質的にフラットな形状を持つ。
【００７３】
概略的に示されるように、ＬＥＤ１０は、例えばコンタクトを持つ基板であるサポート１１０上に取り付けられる。サポート１１０は、更に、（複数の）反射器１１４を有する。サポート１１０に当たる光が、このようにして装置１００へ反射されて戻される。反射器は従来から知られていて、例えば、テフロン（登録商標）のような実質的に拡散反射器を有するか、又は当業者に知られているように部分的に拡散及び部分的に鏡面の反射器を有する。
【００７４】
ＬＥＤ１０はＬＥＤ室８０内に含まれる。ここで、サポート１１０、透過窓３００（１）及びＬＥＤ室壁１２０が、ＬＥＤ室８０を構成する。ＬＥＤ室８０は、光混合室として役立つように配される。ＬＥＤ室壁１２０（少なくともＬＥＤ１０に向けられたＬＥＤ室壁）は、また、反射器（図に示されていない）を具備するか、又は好ましくは自身が拡散、鏡面、若しくは拡散及び鏡面の組み合わせの反射特性を持つ。
【００７５】
透過窓３００（１）は、この実施例では、唯一の透過窓３００であり、よって、透過性出口窓２００から上流に配される第１の透過窓３００である透過窓３００であり、また、ＬＥＤから下流に配される「最後の」透過窓３００である。よって、第１の透過窓３００（１）から下流で、透過性出口窓２００から上流に、第１の透過窓３００（１）及び透過性出口窓２００、並びにオプション的に他の照明装置特徴部（下記参照）により閉じられる最終的キャビティ１８０が形成される。最終的キャビティ１８０は、ＬＥＤ光１１及び発光物質光又は発光３０を混合するために配される。
【００７６】
照明装置１００は、更に、ｋ個の発光物質層（４００（１）、４００（２）、．．．４００（ｋ））を有し、ここで、ｋは２以上である。用語「ｋ個の発光物質層４００（１）、４００（２）、．．．４００（ｋ）」は、照明装置１００が多数のｋ個の発光物質層４００を有することを示し、ここで、発光物質層は参照符号４００（１）、．．．４００（ｋ）でそれぞれ示され、発光物質層４００（１）は第１の発光物質層４００であり、発光物質層４００（２）は第２の発光物質層４００である等である。
【００７７】
実施例では、発光物質層４００は、複数の発光物質層を有する。しかしながら、ここで使用される用語「ｋ個の発光物質層」は、分離した発光物質層を指し、個別的に独立して、複数の発光物質層を有する。更に、実施例では、これらの発光物質層４００（１）、４００（２）、．．．４００（ｋ）は、空間的に分離されている。
【００７８】
ｋ個の発光物質層４００（１）、４００（２）、．．．４００（ｋ）は、ＬＥＤ１０の下流で透過性出口窓２００の上流に配される。更に、ｋ個の発光物質層４００（１）、４００（２）、．．．４００（ｋ）は、ＬＥＤ１０から空間的に分離されている。ＬＥＤ１０から発光物質層４００（ここで、４００（１）及び４００（２））までの最短距離は、Ｌ１で示される。ＬＥＤ１０と発光物質層４００（１）との間の距離Ｌ１は、約１−５０ｍｍの範囲内、特に約１−２０ｍｍの範囲内にある。
【００７９】
図１ａを参照すると、照明装置１００は、２つの発光物質層４００を有し、すなわち、ｋは２である。これらの発光物質層４００は、参照符号４００（１）及び４００（２）で、それぞれ示される。この実施例では、前者は第１の透過窓３００（１）への上流被覆として配され、後者は第１の透過窓３００（１）への下流被覆として配される。よって、この照明装置１００は、第１の透過窓３００（１）を有し、ここで、上流透過窓面３０２は第１の発光物質上流被覆層４２２（１）を有し、下流透過窓面３０１は第１の発光物質下流被覆層４２１（１）を有する。
【００８０】
２つの発光物質層４００（１）、４００（２）、．．．４００（ｋ）、ここでは、第１の発光物質層４００（１）及び第２の発光物質層４００（２）は、実施例では、実質的に同一の発光物質成分（図１ａ及び図１ｂに示されるように）を有する。しかしながら、他の実施例では、第１の発光物質層４００（１）及び第２の発光物質層４００（２）は、実質的に異なる発光物質成分を有してもよい。
【００８１】
ＬＥＤは、ここではＬＥＤ発光１１としても示される所定の色の光を生成するように配される。このＬＥＤ発光１１の一部は、発光物質層４００内の発光物質により吸収され、これにより、吸収された光の一部を発光物質発光３０へ変換する。ＬＥＤ発光１１と発光物質発光３０との組み合わせは、白色光のような所定の色の光５０を供給する。よって、ＬＥＤ１０及び発光物質層４００（１）、４００（２）、．．．４００（ｋ）は、所定の色の光（５０）を生成するように配される。透過性出口窓２００は、光５０の少なくとも一部を透過するように配される。このようにして、照明装置６０からの光が、照明装置１００の動作中、生成される。照明装置６０からの光の色は、混合光５０の色と実質的に同じである。しかしながら、特に、透過性出口窓２００が発光物質上流出口窓被覆層（下記参照）を有する実施例が適用されるときは、色が異なってもよい。
【００８２】
図１ａの特定の実施例では、ＬＥＤ室８０に直接隣接して、１つ以上の他の室又はキャビティが配されてもよい。これらの室は、参照符号９０で示される。ＬＥＤ室８０及び１つ以上の他の室は、透過性出口窓２００により全て覆われている。更に、これらは、室壁９１を有する。実施例では、第１の隣接室９０（１）が、ＬＥＤ室８０に直接隣接して、ここでは照明装置１００に含まれ、第１の隣接室は、実施例では、センサ７０を有する。実施例では、また、第２の隣接室９０（２）が、ＬＥＤ室８０に直接隣接して、ここでは照明装置１００に含まれ、第２の隣接室は、実施例では、またセンサ７０を有する。概略的に示された実施例では、室壁９１の一部は、ＬＥＤ室壁１２０と一致する。図に示されるように、隣接室９０は、実施例では、サポート１１０及び室壁９１により囲まれたボリュームである。
【００８３】
実施例では、図１ａに概略的に示されるように、第１及び第２の隣接室９０（１）、９０（２）は照明装置１００に含まれ、前者の隣接室は例えば光学センサ７１を有し、後者の隣接室は例えば熱センサ７２を有してもよい。キャビティは、実質的に閉じられるか、及び／又は例えば最終キャビティ１８０への開口部９２を持つ。図１ａの概略的実施例では、光学センサ７１を有する第１の隣接室９０（１）は、開口部９２を有する。示される実施例では、センサ７１は、実質的に間接光だけを受けるように配される。よって、斯様なセンサ７１は、直接は放射光にさらされず、このようにして、熱負荷が大幅に妨げられる。よって、光学センサ７１は、実質的に混合光を感知する。代わりに、キャビティ９０（１）と１８０との間の壁の少なくとも一部は、光５０の一部が光学センサ７１に到達可能な透過性物質を有してもよい。
【００８４】
図１ｂを参照すると、上述のものと実質的に同じ実施例が、概略的に示されている。しかしながら、この実施例では、下流出口窓面２０２は、例えば赤い光を放射するように配される発光物質を有する発光物質上流出口窓被覆層２２２を有する。斯様な被覆層は、また、ｋ個の発光物質層４００のグループに属する。よって、この発光物質層は、またここで、第３の発光物質層（すなわち、ｋが図１ｂにおいて３である）とみなせるので、参照符号４００（３）で示される。
【００８５】
図２ａ、図２ｂ、図２ｃ及び図２ｄは、概略的な図１ａ及び１ｂに関係してより詳細に上述されたものと類似の実施例を概略的に示す。隣接室９０（１）及び９０（２）は、これら及び他の概略的図に含まれていないが、もちろん、他の図で概略的に示され、以下に説明される実施例の一部であってもよい。
【００８６】
ここで、また、照明装置１００は、例えば青い光であるＬＥＤ発光１１を放射するように配されるＬＥＤ１０を有する。照明装置１００は、更に、上流出口窓面２０２及び下流出口窓面２０１を持つ透過性出口窓２００を有する。後者は外部に向けられ、前者は実質的にＬＥＤ１０へ向けられる。図２ａ、図２ｂ、及び図２ｄの概略的に示される実施例では、透過性出口窓２００は凸形状を持ち、図２ｃの概略的に示される実施例では、透過性出口窓２００は実質的にフラットな形状を持つ。
【００８７】
ＬＥＤ１０の下流及び透過性出口窓２００の上流に、ｎ個の透過窓３００（１）、３００（２）、．．．３００（ｎ）が配され、ここで、ｎは１以上である。概略的な図２ａ、図２ｂ、図２ｃ及び図２ｄでは、ｎは１であり、すなわち、これらの照明装置１００は、第１の透過窓３００（１）としても示される１つの透過窓３００を有する。図２ａ、図２ｂ、及び図２ｃの概略的に示される全ての実施例では、透過窓３００（１）は、実質的にフラットな形状を持つ。図２ｄでは、透過窓３００（１）は、実質的に凸形状を持つ。
【００８８】
これらの実施例の照明装置１００は、更に、ｋ個の発光物質層（４００（１）、４００（２）、．．．４００（ｋ））を有し、ここで、ｋは２以上である。図２ａ、図２ｂ、図２ｃ及び図２ｄを参照すると、概略的に示される照明装置１００は、２つの発光物質層４００を有し、すなわち、ｋは２である。これらの発光物質層は、参照符号４００（１）及び４００（２）で示される。この実施例では、前者は第１の透過窓３００（１）への上流被覆として配され、後者は第１の透過窓３００（１）への下流被覆として配される。よって、より特に、この照明装置１００は、第１の透過窓３００（１）を有し、ここで、上流透過窓面３０２は第１の発光物質上流被覆層４２２（１）を有し、下流透過窓面３０１は第１の発光物質下流被覆層４２１（１）を有する。
【００８９】
図２ａでは、ＬＥＤ１０の上に透過窓３００として取り付けられるフィルムを具備する青のＬＥＤ１０を有する照明装置１００の実施例が示され、当該フィルムは同じ発光物質混合で両側に被覆されている。これら被覆、すなわち、（第１の）上流被覆層４２２（１）及び（第１の）下流被覆層４２１（１）は、参照符号４２２（１）及び４２１（１）でそれぞれ示される。
【００９０】
好ましくは、被覆４２２（１）及び４２１（１）両方は同じ厚さを持ち、より好ましくは、両被覆は同じ発光物質負荷を持つ。これは、許容可能な発光物質層厚及び被覆プロセスに対する懸濁液のレオロジーを導き、優れた熱−機械ストレス抵抗性を導く。
【００９１】
よって、少なくとも２つの発光物質層、ここでは第１の発光物質層４００（１）及び第２の発光物質層４００（２）は、実質的に同一の発光物質成分を有する。
【００９２】
図２ｂでは、ＬＥＤ１０の上に透過窓３００として取り付けられるフィルムを具備する青のＬＥＤ１０を有する照明装置１００の実施例が示され、当該フィルムは、青の放射ＬＥＤ１０に面する透過窓面３０２上に赤の放射発光物質含有発光物質層４００（１）と、透過窓３００の他方の側上に黄色の放射発光物質含有発光物質層４００（２）とで被覆されている。これらの被覆は、参照符号４２２（１）及び４２１（１）でそれぞれ示される。
【００９３】
例えば、上流面３０２上で、赤−オレンジ放射発光物質、例えばＳｒ２Ｓｉ５Ｎ８：Ｅｕ、（Ｃａ、Ｓｒ）２Ｓｉ５Ｎ８：Ｅｕ、（Ｂａ、Ｓｒ）２Ｓｉ５Ｎ８：Ｅｕ、ＣａＡｌＳｉＮ３：Ｅｕ又は（Ｃａ、Ｓｒ）ＡｌＳｉＮ３が付与され、下流面３０１上で、黄色−緑放射発光物質、例えば（Ｙ、Ｌｕ、Ｇｄ）３Ａｌ５Ｏ１２：Ｃｅ、（Ｂａ、Ｓｒ）２ＳｉＯ４：Ｅｕ又はＳｒＳｉ２Ｏ２Ｎ２：Ｅｕが付与される。これは、２つの発光物質懸濁液の独立した付与を導き、単純なインライン閉ループプロセス制御及び低減された物質くびれを導き、ポンプＬＥＤ１０に面するため赤−オレンジ発光物質で被覆されたフィルムを取り付けることにより、照明システムのより高い演色特性だけでなく、より高いシステム効力を導く（赤−オレンジ光が黄色−緑放射発光物質によりほとんど吸収されないので）。
【００９４】
主に発光物質の色に関係しないが、例えばむしろ熱安定性に関係して、発光物質の他の分離も適用されてもよいことに、留意されたい。例えば、色の発光物質を（青の）ＬＥＤ１０に向かい合う透明又は半透明窓（すなわち、透過窓３００）上に付与し、すなわち例えば（青い）光１１の少なくとも約６０％がこの発光物質により変換されるように、発光物質負荷を上述した上流被覆層４２２（１）に供給し、色の第２の発光物質が、ＬＥＤ１０から離れた側である基板の他方の側、すなわち、上述した下流被覆層４２１（１）に付与されてもよい。（青の）ＬＥＤ１０の上に取り付けられる透過窓３００上に、熱的に又は光−熱的に誘導される劣化又は消光に最も敏感な発光物質（「ストレス感知発光物質」として更に示される）を付与してもよく、ストレス感知発光物質被覆はＬＥＤ１０から離れた側である他方の側に付与され、他の発光物質（「非ストレス感知発光物質」として示される）が、ＬＥＤに向かい合う基板の側に付与される。この発光物質は、（青い）光１１の大部分を吸収する。透過窓３００は、貧弱な熱伝導でもよい（例えば、約０．１Ｗ／ｍＫより小さい熱伝導、例えば約２ｍｍより大きい厚さ）。このようにして、ストレス感知発光物質は他の発光物質から熱的に大幅にデカップリングされ（切り離され）、かなり低い（青の）発光にさらされ、結果的に、緩和されたストレス状況及び長寿命となる。
【００９５】
図２ａ及び図２ｂ両方の場合、実質的に異なる発光物質成分を有する少なくとも２つの発光物質層４００（１）、４００（２）が供給される。よって、少なくとも２つの発光物質層、ここでは、第１の発光物質層４００（１）及び第２の発光物質層４００（２）は、実質的に異なる発光物質成分を有する。
【００９６】
図２ｃに概略的に示される実施例は、上記でより詳細に説明された図２ａ及び図２ｂに概略的に示される実施例と実質的に同一である。しかしながら、この実施例では、透過性出口窓２００が実質的にフラットな形状である。
【００９７】
図２ｄに概略的に示される実施例は、上記でより詳細に説明された図２ａ図２ｂ及び図２ｃに概略的に示される実施例と実質的に同一である。しかしながら、この実施例では、透過性出口窓２００が実質的に凸形状であり、透過窓３００が実質的に凸形状である。
【００９８】
図３ａ、図３ｂ及び図３ｃは、概略的図に関係して上記で詳細に説明されたような類似の実施例を概略的に示す。隣接する室９０（１）及び９０（２）は、概略的図に含まれていないが、もちろん変形例では、概略的に示された実施例の一部でもよい。
【００９９】
照明装置は、参照符号１００で示される。照明装置１００は、ＬＥＤ発光１１、例えば青い光を放射するために配されるＬＥＤ１０を有する。照明装置１００は、更に、上流出口窓面２０２及び下流出口窓面２０１を持つ透過性出口窓２００を有する。後者は外部に向けられ、前者はＬＥＤ１０に実質的に向けられている。図３ａ及び図３ｂに概略的に示される実施例では、透過性出口窓２００は、実質的にフラットな形状を持ち、図３ｃに概略的に示される実施例では、透過性出口窓２００は、実質的に凸形状を持つ。
【０１００】
ＬＥＤ１０の下流であって、透過性出口窓２００の上流に、ｎ個の透過窓３００（１）、３００（２）、．．．３００（ｎ）が配され、ここで、ｎは１以上である。概略的図３ａ、図３ｂ及び図３ｃではｎは２であり、すなわち、これらの照明装置１００は、第１の透過窓３００（１）及び第２の透過窓３００（２）としても示される２つの透過窓３００を有する。図３ａ、図３ｂ及び図３ｃに概略的に示される全ての実施例では、透過窓３００（１）及び３００（２）は、実質的にフラットな形状である。しかしながら、上記にも見られるように、他の変形例も可能である。透過窓３００（１）及び３００（２）は、例えばフィルムでもよく、例えばｋ個の発光物質層４００の１つ以上をサポートする。
【０１０１】
ＬＥＤ１０は、例えばコンタクトを備える基板であるサポート１１０上に取り付けられる。サポート１１０は、更に反射器１１４を有する。ＬＥＤ１０は、ＬＥＤ室８０内に含まれる。ここで、サポート１１０、透過窓３００（１）及びＬＥＤ室壁１２０は、ＬＥＤ室８０を構成する。また、ＬＥＤ室壁１２０（少なくともＬＥＤ１０に向けられたＬＥＤ室壁側）は、反射器（概略的図に示されていない）を具備する。
【０１０２】
この実施例では、透過窓３００（１）は第１の透過窓３００であり、透過窓３００（２）は第２の（そして「最後の」）透過窓３００である。後者は、前者から下流に配され、よって、第１の透過窓３００は、透過性出口窓２００から上流に配される。よって、第２の透過窓３００（２）（「最後の」透過窓）から下流であって、透過性出口窓２００から上流に、第２の透過窓３００（２）及び透過性出口窓２００、並びにオプション的に他の照明装置特徴部（下記参照）により閉じられた最終のキャビティ１８０が形成される。最終のキャビティ１８０は、照明装置からの光を混合するために配される。第１の透過窓３００（１）と第２の透過窓３００（２）との間に、中間透過窓キャビティ８１（１）が見られる。３つ又は４つの透過窓３００（ｎ）が付与された場合、更なる中間キャビティ８１（ｎ−１）が見られたであろう。しかしながら、斯様な実施例は示されていない。ＬＥＤから透過窓までの距離はＬ２として示され、ここでは、ＬＥＤ１０から透過窓３００（１）及び３００（２）それぞれまでの距離である。
【０１０３】
当業者に明らかなように、距離Ｌ１及びＬ２は、透過窓３００の数ｎ及び発光物質層４００の数ｋ、それぞれに依存して変化する。
【０１０４】
これらの実施例の照明装置１００は、更に、ｋ個の発光物質層（４００（１）、４００（２）、．．．４００（ｋ））を有し、ここで、ｋは２以上である。図３ａ、図３ｂ及び図３ｃを参照すると、概略的に示された照明装置１００は、４つの発光物質層４００を有する、すなわちｋは４である。これらの発光物質層は、上流から下流へ順に、参照符号４００（１）、４００（２）、４００（３）及び４００（４）で示される。
【０１０５】
この実施例では、第１の２つの発光物質層４００（１）及び４００（２）が、第１の透過窓３００（１）への上流被覆として、及び第１の透過窓３００（２）への下流被覆として、それぞれ配される。よって、更に特に、この照明装置１００は第１の透過窓３００（１）を有し、ここで、上流透過窓面３０２が第１の発光物質上流被覆層４２２（１）を有し、下流透過窓面３０１が第１の発光物質下流被覆層４２１（１）を有する。
【０１０６】
この実施例では、他の２つの発光物質層４００（３）及び４００（４）が、第２の透過窓３００（２）への上流被覆として、及び第２の透過窓３００（２）への下流被覆として、それぞれ配される。よって、更に特に、この照明装置１００は第２の透過窓３００（２）を有し、ここで、上流透過窓面３０２が第２の発光物質上流被覆層４２２（２）を有し、下流透過窓面３０１が第２の発光物質下流被覆層４２１（２）を有する。
【０１０７】
これらの実施例は、例えば、ＬＥＤ１０と透過性出口窓２００との間に取り付けられる少なくとも２つの透過窓３００（フィルムのような）上に離れた発光物質を付与するために使用され、すなわち、より薄い発光物質層４００を可能にするためＬＥＤアレイの上に発光物質で被覆された少なくとも２つの透過窓３００（フィルムのような）を付与するために使用され、これにより、発光物質透過窓３００内の熱消散を低減し、好ましくは、ストレス感知発光物質は、他の発光物質よりも相対的に薄い層として異なる透過窓３００上に付与され、これは、当該層内の限られた熱消散、例えば＜０．０４Ｗ／ｃｍ２を持つ許容可能な発光物質層厚さ、例えば＜５０μｍを導き、被覆の面への充分に良好な熱伝導を導き、後に周囲への熱転送を導く。
【０１０８】
よって、これらの実施例は、例えば、２つの透過窓３００（フィルムのような）を付与することにより、ストレス感知発光物質及び熱的安定発光物質をデカップリングし、発光物質表面領域を増大するために使用される。典型的には、ＹＡＧ：Ｃｅ、ＬｕＡＧ：Ｃｅ、ＳｒＳｉ２Ｏ２Ｎ２：Ｅｕ及びＣａＡｌＳｉＮ３：Ｅｕのような発光物質が非常に安定した発光物質である一方、（Ｙ、Ｇｄ）ＡＧ：Ｃｅ、（Ｃａ、Ｓｒ）Ｓ：Ｅｕ及びＣａＳｒＳｉ５Ｎ８：Ｅｕは、重大なストレス感知を示す。好ましくは、ストレス感知発光物質は一方の透過窓３００の両側上に付与され、熱的安定発光物質は他方の透過窓３００の両側上に付与される。好ましくは、例えば安定した黄色／緑発光物質を具備する透過窓３００が、ストレス感知発光物質を具備する透過窓と、ＬＥＤ１０との間に取り付けられる（特に、多くの赤の発光物質だけでなく、幾つかの黄色／緑発光物質がストレス感知であることが知られている）。このようにして、ストレス感知発光物質の熱負荷は、１つだけの発光物質被覆４００（実施例では、青のＬＥＤとの組み合わせで白色光を得るための発光物質混合を含む）が１つだけの透過窓３００に付与される装置に比べて、４倍を超えて低減される。
【０１０９】
異なるフィルム上の発光物質の分離に基づく本発明による２つの実施例が、図３ａ及び図３ｂに概略的に示される。図３ａでは、第１の窓３００（１）を含むストレス感知発光物質被覆が、ＬＥＤ１０と、第２の窓３００（２）を含む他の発光物質被覆との間に取り付けられる。例えば、第１の透過窓３００（１）の上流面３０１及び下流面３０２上それぞれに被覆される、第１の発光物質上流被覆層４２２（１）及び第１の発光物質下流被覆層４２１（１）両方が赤の発光物質を有し、第２の透過窓３００（２）の上流面３０１及び下流面３０２上それぞれに被覆される、第２の発光物質上流被覆層４２２（２）及び第２の発光物質下流被覆層４２１（２）両方が黄色及び／又は緑放射の発光物質を有するとき、これは、結果的に高いＣＲＩとなる。
【０１１０】
図３ｂにおいて、第１の窓３００（１）を有する実質的にストレス不感知発光物質被覆が、ＬＥＤ１０と、第２の窓３００（２）を含む他の発光物質被覆との間に取り付けられ、第２の窓３００（２）が、透過窓を有するストレス感知発光物質被覆である、反対の構成が示される。例えば、第１の透過窓３００（１）の上流面３０１及び下流面３０２上それぞれに被覆される、第１の発光物質上流被覆層４２２（１）及び第１の発光物質下流被覆層４２１（１）両方が黄色及び／又は緑の発光物質を有し、第２の透過窓３００（２）の上流面３０１及び下流面３０２上それぞれに被覆される、第２の発光物質上流被覆層４２２（２）及び第２の発光物質下流被覆層４２１（２）両方が赤の発光物質を有するとき、これは、結果的に赤の発光物質に対する最低の温度となるが、結果的に前の実施例（図３ａで概略的に示されたような）に関して幾らか低減されたＣＲＩにもなる。よって、図３ａでは、透過窓を有するストレス感知赤の発光物質が、ＬＥＤ１０と、透過窓を有する黄色（及び／又は緑）発光物質との間に取り付けられ、結果的に高いＣＲＩとなる。図３ｂでは、透過窓を有する赤の発光物質が、透過窓を有する黄色（及び／又は緑）発光物質と、透過性出口窓との間に取り付けられ、結果的に赤の発光物質に対して最低の温度となる（幾つかの場合では、結果的にまた、幾らか低減されたＣＲＩとなる）。
【０１１１】
図３ｃは、図３ａ又は図３ｂに概略的に示される実施例と実質的に同じである実施例を概略的に示す。しかしながら、図３ｃの透過性出口窓２００は、実質的に凸形状である。図３ａ、図３ｂ及び図３ｃに概略的に示される実施例では、全ての透過窓３００は実質的にフラットであるが、これら透過窓３００の１つ以上は、代わりの実施例では、実質的に凸形状でもよいことに留意されたい。
【０１１２】
よって、図３ａ、図３ｂ及び図３ｃに概略的に示される実施例では、少なくとも２つの発光物質層４００（１）、４００（２）、．．．４００（ｋ）が実質的に同一の発光物質成分を有するが、他の実施例では、これらは実質的に異なる発光物質成分を有してもよい。原則的には、全てのｋ個の発光物質層は異なってもよいだけでなく、発光物質層の全て又はサブセットが同一でもよい。本発明は、図３ａ、図３ｂ及び図３ｃ又は他の図に示される特定の実施例に限定されない。
【０１１３】
図４ａ、図４ｂ及び図４ｃは、概略的図に関係して上記に詳細に説明されたような類似の実施例を概略的に示す。隣接する室９０（１）及び９０（２）は、これら概略的図に含まれていないが、もちろん変形例では概略的に示される実施例の一部でもよい。例えば、図４ａ及び図４ｃに概略的に示される実施例は、図２ａ、図２ｂ、図２ｃ及び図２ｄに関係して説明された実施例及び変形例と実質的に同じであり、図４ｂに概略的に示される実施例は、図３ａ、図３ｂ及び図３ｃに関係して説明された実施例及び変形例と実質的に同じである。しかしながら、図４ａ、図４ｂ及び図４ｃに概略的に示される実施例による照明装置１００は、上流出口窓面２０２上に被覆される、発光物質上流出口窓被覆層２２２を有する。
【０１１４】
上述のように、斯様な発光物質上流出口窓被覆層２２２は、ｋ個の発光物質層のグループからの発光物質層でもよい。よって、発光物質上流出口窓被覆層２２２は、発光物質層４００としても示される（図４ａでは、これは第３の発光物質層４００（３）であり、図４ｂでは、これは第５の発光物質層４００（５）であり、図４ｃでは、これはまた第３の発光物質層４００（３）である）。
【０１１５】
特定の実施例では、発光物質上流出口窓被覆層２２２は、ストレス感知発光物質を有する。特に、発光物質上流出口窓被覆層２２２は、赤い光を放射するように配される発光物質を有する（青い光による励起用の赤の発光物質の幾つかは、硫化物のようなストレス感知として知られている）。
【０１１６】
よって、これらの実施例は、例えば、透過性出口窓２００上に、赤の発光物質のようなストレス感知発光物質の付与、又はＬＥＤ１０と透過性出口窓２００との間に取り付けられた１つ以上の透過窓３００の両側に安定した黄色及び／又は緑発光物質の付与に対して使用される。発光物質の分離との組み合わせで出口窓２００での周囲（ａｍｂｉｅｎｔ）とのより良好な熱伝達のおかげで、ストレス感知発光物質は、ハウジング温度を少し超えるだけの温度にある。赤の発光物質は、青、緑、及び／又は黄色光を吸収するので、層厚は非常に薄い。これは、オフ状態のとき、外からほとんど見えず、付与されるべき発光物質が少ないという利益を持つ。
【０１１７】
図５ａ、図５ｂ、図５ｃ及び図５ｄは、概略的な図に関係してここで詳細に説明されたような類似の実施例を概略的に示す。隣接室９０（１）及び９０（２）は、概略的な図に含まれていないが、もちろん変形として、概略的に示された実施例の一部でもよい。例えば、図５ａ、図５ｂ、図５ｃ及び図５ｄに概略的に示される実施例は、図２ａ、図２ｂ、図２ｃ及び図２ｄに関係して説明された実施例及び変形と実質的に同じである。図５ａ乃至図５ｄに概略的に示される実施例は、１つだけの透過窓３００を有する。しかしながら、変形としては、これらの実施例は、２つ以上の透過窓３００を有してもよい。
【０１１８】
図５ａ、図５ｂ、図５ｃ及び図５ｄに概略的に示される実施例による照明装置１００は、更に、反射モードで発光物質を付与することにより、特に透過及び反射モード両方で発光物質を付与することにより、１つ以上の発光物質の表面領域を大幅に増大するように設けられる。これは、幾らかの赤の発光物質又は幾らかの黄色／緑発光物質のようなストレス感知発光物質に対して特に有利である（上記参照）。例えば、赤の発光物質が、例えばＬＥＤ室８０の底部及び／又は側部反射器上に反射モードで付与される。
【０１１９】
図５ａ及び図５ｂの概略的実施例に対して、図４ａに関係して上述の説明が特に参照される。更に、図５ａ及び図５ｂに概略的に示される実施例において、反射モードの発光物質が、基板１１０上に、更に特に反射器１１４上（図５ａ）及び／又はＬＥＤ室８０の（反射）壁１２０上に付与されてもよい（図５ｂ）。斯様な発光物質（被覆層）は、参照符号５００で示される。透過モードで付与される発光物質（参照符号４００）は、例えば黄色発光物質を有する。出口窓（２２２）上に透過モードで付与される発光物質は、例えば赤の発光物質を有する。
【０１２０】
概略的な図５ａ及び図５ｂでは、第１及び第２の発光物質層４００（１）及び４００（２）それぞれに含まれる発光物質は、第３の発光物質層４００（３）に含まれる発光物質とは異なってもよい。例えば、第１及び第２の発光物質層４００（１）及び４００（２）は、黄色及び／又は緑放射発光物質を有し、第３の発光物質層４００（３）はストレス感知発光物質を有する。この態様では、赤の発光物質は、黄色及び／又は緑放射発光物質の表面領域と比較して、増大した表面領域上に付与される。
【０１２１】
図５ｃ及び図５ｄの概略的実施例に対して、図２ｂ（及び図２ｃ）に関係して上述の説明が特に参照される。更に、図５ｃ及び図５ｄに概略的に示される実施例において、反射モードのための発光物質、すなわち発光物質層５００が、基板１１０上に、更に特に反射器１１４上に付与される（図５ｃ及び図５ｄ）（もちろん、また又は代わりに、ＬＥＤ室８０の壁１２０上に付与されてもよい）。
【０１２２】
概略的な図５ｃ及び図５ｄでは、それぞれ第１及び第２の発光物質層４００（１）及び４００（２）に含まれる発光物質は異なってもよい。例えば、第１の発光物質層４００（１）は黄色及び／又は緑放射発光物質を有し、第２の発光物質層４００（２）は赤の発光物質を有するし、その逆も同様である。
【０１２３】
よって、本発明は、また、反射モードで放射を生成するために配される発光物質被覆層５００を更に有する照明装置１００の実施例を提供する。この明細書内の「反射モード」は、発光物質層５００のアレンジメントに関係し、これらの層は、発光物質層が（ＬＥＤ）放射で放射される被覆層の側から離れる方向にのみ実質的に放射する。これは、発光物質層が（ＬＥＤ）放射で放射される側から離れて対向する被覆層の側から離れる方向に少なくとも放射するように特に配される発光物質層４００と特に対照的である。更に、発光物質層４００はＬＥＤ放射１１の少なくとも一部を透過するように特に配されるのに対し、発光物質層５００に対しては、一般に、ＬＥＤ放射１１の少なくとも一部を透過するように配されることを要求されない。
【０１２４】
図６ａ及び図６ｂは、ダイクロイックフィルタが適用される実施例を概略的に示す。用語「ダイクロイックフィルタ」は、当業者に知られ、特に、他の色の光が大部分透過されないが（少なくとも）部分的に反射される一方で、特定の色の光が透過される（少なくとも部分的に）ことを可能にする光学フィルタを特に指す。これらの図では、ダイクロイックフィルタは参照符号６００で示される。１つより多いダイクロイックフィルタ６００が付与されてもよいことに留意されたい。
【０１２５】
ダイクロイックフィルタ６００のアプリケーションは図６ａに概略的に示される特定の実施例に限定されないが、図６ａは実質的に図５ａと同じである。ダイクロイックフィルタ６００のアプリケーションは図６ｂに概略的に示される特定の実施例に限定されないが、図６ｂは実質的に図４ｂと同じである。ダイクロイックフィルタ６００は、上流面６０２及び下流面６０１を持つ。
【０１２６】
１つ以上のダイクロイックフィルタ６００は、したがって、ＬＥＤ１０の下流及び透過性出口窓２００の上流に特に配される。更に、斯様なフィルタは、１つ以上のダイクロイックフィルタ６００の上流の光の少なくとも一部を透過し、１つ以上のダイクロイックフィルタ６００の下流の光の少なくとも一部を反射するように、特に配される。図６ａを参照すると、ＬＥＤ光１１は少なくとも部分的に透過されるのに対し、発光物質発光３０が少なくとも部分的に反射される。同様に、図６ｂを参照すると、ダイクロイックフィルタ６００の上流の光の少なくとも一部、すなわち室８１（１）内の光が透過され、発光物質被覆層４２２（２）及び４２１（２）により生成される光の少なくとも一部が反射される。
【０１２７】
よって、特定の実施例では、層４００（１）からの放射は、ダイクロイック層６００を透過される（例えばちょうど青い光１１のように）一方、層４００（２）からの放射は、ダイクロイック層６００により反射される。同様に、これは、照明装置１００の何れかに配される他のダイクロイックフィルタに適用してもよい。
【０１２８】
他の代わりの実施例では、ダイクロイックフィルタは、青及び赤−オレンジ光両方の透過を可能にする一方、緑−黄色光を反射するために、緑−黄色発光物質と赤−オレンジ発光物質との間に適用される。
【０１２９】
例えば、ダイクロイックフィルタ６００は、発光物質相互作用を排除するために、赤発光物質被覆層と緑発光物質被覆層との間に配される。フィルタは、緑の光を反射するが、青及び赤の光を透過する。図６ｂを参照すると、発光物質被覆層４２２（１）及び４２１（１）は赤発光物質を有し、ＬＥＤ１０は青い光を放射するために配され、発光物質被覆層４２２（２）及び４２１（２）は、それぞれ赤及び緑発光物質を有する。
【０１３０】
更に他の実施例では、ダイクロイックフィルタが、青い光だけを透過し、赤−オレンジ又は赤−オレンジ及び黄色−緑光を反射するために、赤−オレンジ発光物質層と青ＬＥＤとの間に適用される。従って、このフィルタは、波長軸領域における単純なＬＰＦであり得る。このフィルタは、特にＬＥＤパッキング密度が相対的に高いこれらの構成において、全体的システム効果を強化する。これは、特に、スポット照明のようなビームアプリケーションの場合である。
【０１３１】
本発明の特定の実施例によると、照明装置１００は、１つ以上の被覆層が独立してパターン化された被覆層である、１つ以上の発光物質層（４００（１）、４００（２）、．．．４００（ｋ））を有する。
【０１３２】
例えば、赤若しくはオレンジ発光物質又は両方の発光物質層のパターン化されたアプリケーションが実施されてもよい。赤／オレンジ発光物質の小さな全表面領域のため、黄色−緑発光物質により放射される光との相互作用は、非常に限定される。
【０１３３】
代わりに、発光物質又は発光物質混合両方が、例えば、０．２から５ｍｍの間の典型的寸法を持つブロックパターンとして、又は０．２から５ｍｍの間の典型的幅を持つドットパターンとして、フィルムの同じ側にパターン化される態様で付与される。熱機械的安定のため、発光物質粒子はないが、散乱粒子を持つ可能性がある被覆層が、他方の側に付与される。この手法は、低減された発光物質相互作用をも導く。
【０１３４】
例が図７ａ及び図７ｂに描かれている。図７ａは、パターン化された層の適用が図７ａに概略的に描かれた特定の実施例に制限されないが、図２ａと実質的に同じである。図７ｂは、パターン層６００の適用が図７ｂに概略的に描かれている特定の実施例に制限されないが、図４ｂと実質的に同じである。図７ａでは、発光物質層４００の１つだけ、特に発光物質被覆層の１つがパターン化される例が与えられている。この層は、参照符号４５０（１）で示される。図７ｂでは、２つの発光物質層４００がパターン化される。この概略的に描かれた実施例では、第１の発光物質上流被覆層４２２（１）及び第１の発光物質下流被覆層４２１（１）である。パターン化された層は、参照符号４５０（１）及び４５０（２）で、それぞれ示される。
【０１３５】
図８に概略的に描かれている、また更に他の実施例では、透過性出口窓２００及び１つ以上のｎ個の透過窓３００（１）、３００（２）、．．．３００（ｎ）からなるグループから選択された１つ以上の窓が、透過性発光出口窓２７０及び透過発光窓３７０それぞれとして、１つ以上の発光物質層（４００（１）、４００（２）、．．．４００（ｋ））を独立して有する。
【０１３６】
図８に概略的に描かれた実施例は、図８において透過窓３００（１）が発光物質層、ここでは発光物質層４００（２）を有することを除いて、図３ｃに概略的に描かれた実施例と実質的に同一である。発光物質は、例えば、透過窓に埋め込まれてもよく、これにより、参照符号３７０で示される透過発光窓を供給する。更に、透過性出口窓２００は、発光物質層、ここでは発光物質層４００（５）を有し、これにより、参照符号２７０で示される透過性発光出口窓を供給する。当業者には明らかなように、斯様な窓のアプリケーションは、図８の特定の実施例に限定されないが、ここで説明され描かれた他の実施例で適用されてもよい。この実施例では、多くの他の概略的に描かれた実施例とは違って、幾つかの発光物質層が、層４００（１）と４００（２）とのように互いに隣接している（すなわち、実質的に空間的に離れていない）。従って、透過発光窓３７０に対して、距離Ｌ１及びＬ２が同じである。当業者には明らかなように、本発明による照明装置１００は、実施例では、上流発光物質被覆層４２２及び／又は下流発光物質被覆層４２１で独立して各々がオプション的に被覆される１つより多くの透過発光窓３７０を有する。
【０１３７】
上記で概略的に描かれた多くの実施例において、透過窓３００及び出口窓２００は、円形であり実質的に平坦であるように描かれている。特に、透過窓３００が実質的に平坦であるとする場合、透過窓３００は実質的に円形でもよいが、他の実施例では、矩形でもよく、又は当業者に知られた他の形状でもよい。同様に、特に出口窓２００が実質的に平坦であるとされる場合、出口窓２００は円形、若しくは他の実施例では、矩形でもよく、又は当業者に知られた他の形状でもよい。
【０１３８】
上記で概略的に描かれた多くの実施例において、透過窓３００及び出口窓２００は、円形であり実質的に凸状であるように描かれている。特に、透過窓３００が実質的に凸状であるとする場合、透過窓３００は実質的に回転可能に対称でよいが、他の実施例では、管状若しくはトロイダル形状でもよく、又は当業者に知られた他の形状でもよい。同様に、特に出口窓２００が実質的に凸状であるとされる場合、出口窓２００は実質的に回転可能に対称でよいが、他の実施例では、管状若しくはトロイダル形状でもよく、又は当業者に知られた他の形状でもよい。
【０１３９】
「実質的に全ての発光」又は「から実質的になる」のようなここで使用されている用語「実質的に」は、当業者により理解されるだろう。用語「実質的に」は、「全く」、「完全に」、「全て」等を持つ実施例をも含む。従って、実施例では、副詞「実質的に」が取り除かれてもよい。適用可能なところで、用語「実質的に」は、１００％を含む９５％以上、９９％以上、９９．５％以上のような９０％以上にも関係する。用語「有する」は、用語「有する」が「からなる」を意味する実施例も含む。ここで参照された装置は、とりわけ、動作中で説明されている。例えば、用語「青いＬＥＤ」は、動作中に青い光を生成するＬＥＤを指し、言い換えれば、当該ＬＥＤは青い光を放射する。当業者には明らかであるように、本発明は、動作時の装置又は動作の方法に限定されない。
【０１４０】
上述の実施例は、本発明を制限するよりはむしろ例示するものであって、当業者は添付の請求項の範囲から逸脱することなく多くの代わりの実施例を設計できることに留意されたい。請求項において、括弧内の参照符号は請求項を制限するものとして解釈されない。動詞「有する」及びその派生語の使用は、請求項内で述べられたもの以外の要素又はステップの存在を排除しない。要素に先行する冠詞「ａ」又は「ａｎ」は、斯様な要素の複数の存在を除外しない。装置クレームにおいて、列挙される幾つかの手段、これら手段の幾つかは、ハードウェアの全く同一のアイテムにより具現化されてもよい。特定の手段が相互に異なる従属項で再引用されているという単なる事実は、これら手段の組み合わせが好適に使用できないことを示すものではない。
【図１ａ】
0005464500.tif 000002
【図１ｂ】
0005464500.tif 000003
【図２ａ】
0005464500.tif 000004
【図２ｂ】
0005464500.tif 000005
【図２ｃ】
0005464500.tif 000006
【図２ｄ】
0005464500.tif 000007
【図３ａ】
0005464500.tif 000008
【図３ｂ】
0005464500.tif 000009
【図３ｃ】
0005464500.tif 000010
【図４ａ】
0005464500.tif 000011
【図４ｂ】
0005464500.tif 000012
【図４ｃ】
0005464500.tif 000013
【図５ａ】
0005464500.tif 000014
【図５ｂ】
0005464500.tif 000015
【図５ｃ】
0005464500.tif 000016
【図５ｄ】
0005464500.tif 000017
【図６ａ】
0005464500.tif 000018
【図６ｂ】
0005464500.tif 000019
【図７ａ】
0005464500.tif 000020
【図７ｂ】
0005464500.tif 000021
【図８】
0005464500.tif 000022